(57)【要約】【課題】本考案は、ランニング中常に目の方向を向いている指に装着する、ランナー用のストップウォッチに関するものである。【解決手段】指の大きさに合った大きさの時計表示機能を持つ本体に伸縮性のある材質でできたベルトで指に固定する。スイッチは装着した手の別の指で操作可能な位置に取り付けたストップウォッチ。操作を容易にするため、表示板のカバー全体または一部をスイッチとして利用する。操作の確認を容易にするため、ＬＥＤあるいは表示画面のバックライトの明滅で動作状態を表示する。【選択図】　　なし【実用新案登録請求の範囲】
【請求項１】
親指、または人指し指に装着し、ランニング中に表示板が目の方向を向くようにできるストップウォッチ。
【請求項２】
表示部のカバー全体または一部に、スイッチとしての機能を持たせた請求項１記載のストップウォッチ。
【請求項３】
スイッチによりモード変換がなされたことを確認するための表示ランプを持つ請求項１記載のストップウォッチ。
【考案の詳細な説明】
【０００１】
【考案の属する技術分野】
本考案は、ランニング中に走者自ら計時を行うため、表示が見やすくランニング中の手の動きを中断することなく操作が可能なストップウォッチに関するものである。
【０００２】
【従来の技術】
従来、計時はストップウォッチによっていたが、デジタル腕時計にストップウォッチの機能が付いてからは多くのランナーが腕時計による計時を行っている。しかし、腕時計は手首の甲に表示部があり、見るためには腕を曲げて表示部を顔の方向に向ける必要がある。また、スイッチ操作は装着した反対側の手の指で押す構造であり、両腕の動きを止めて操作する必要があるため、ゴールイン直後の疲労した状態等ではバランスを崩し転倒の危険もあった。片手で操作するためにケーブル−レリーズのようなものもあったが、ランニング中ずっと持ち続ける必要があり、手の自由が奪われるという問題点もあった。特に駅伝のようにスイッチ操作の必要な時期が、たすきの受け渡しという両手がふさがる時に重なる場合にはスイッチ操作自体が不可能であった。また、スイッチ操作が正確に行われたかどうかの確認は、音によるものが主で、最終的な確認は表示部の表示で見る他はなかった。
【０００３】
【考案が解決しようとする課題】
本考案は、かかる従来の事情に対処してなされたものであり、ランニング中の腕の動きの中で、常に目の方向を向いているため見やすく、意識して持つ必要がない。また、表示部全体をスイッチとすることができるため、誤操作の心配が少なく片手で操作が可能で、操作の確認を光の色で常時確認可能にしたランナー用のストップウォッチを提供することを目的とする。
【０００４】
【課題を解決するための手段】
上記目的を達成するため、請求項１に記載したランニング中の腕の動きの中で自然に目の方向を向いている親指の甲、または人指し指の側面に装着する形のストップウォッチとする。表示板は視認性の向上のため、指の幅に収まりがいい程度で大型で長方形が好ましい。固定方法は指の曲がりに追随できるよう、伸縮性のある材質が好ましい。また、指の太さの個人差に対応するためには、任意の位置で留めることができるテープ等で固定しても良い。さらに、手首に比較して細い指に装着するため、本体の指に接触する面は、柔軟な材質で曲面にすると装着感が向上する。
【０００５】また、片手で容易に操作可能にするためには、請求項２に記載の考案である、表示面を覆うカバー全体をタッチ（押す）ことでスイッチ操作ができる構造とする。親指装着の場合は人指し指の腹が向きやすい親指先端部付近にスイッチ部をせり出させ、そこに大型のスイッチを付けても良い。勿論、延長コードでスイッチ部を時計から離して押しやすい場所に固定しても構わない。また、大きめの１個のスイッチでリセット、スタート、ストップ等最小限の機能にまとめると、ランニング中の操作ミスを防ぐために有効である。
【０００６】請求項３に記載の考案である表示ランプは、例えば計時中は点灯し、ストップ中は消灯する小型ＬＥＤや表示面のバックライト等で実現できる。これにより、液晶表示の動きを見るより、はっきりと作動中の確認が可能となる。勿論、音による表示と併用しても構わない。
【０００７】
【本考案の実施の形態】
以下に、本考案に係る指に装着した状態（請求項１に対応）を図１、図２に基づき説明する。図１は親指の甲、図２は人指し指の側面に装着した例である。いずれの場合も、ランニング中の手の動きの中で目の方向を向くため、手を不自然な方向に向けることなく、時計の表示を確認することが可能となる。
【０００８】
図１の▲２▼の親指に装着した場合は他の指▲１▼でスイッチ操作をし易くするため、図３の▲６▼に示したタブにスイッチ▲７▼を付け、関節の先に出すと好ましい。また、このタブ▲６▼は図３のように下向きに付け、付け根の部分に弾力を持たせるか独立した細いベルトで親指先端部に密着するようにすると操作が容易になる。
【０００９】
図２のように人指し指▲１▼に装着した場合は親指▲２▼で押せる位置に適当にスイッチを設けて良いが、図４の表示部カバー▲５▼をスイッチとすると大型のスイッチ部を設ける必要がなく好ましい。
【００１０】
本体▲３▼の指への装着は、ベルト▲９▼によるが、指関節の自由度を増すため、伸縮性のある材質で先細りのテーパー状にすると好ましい。また、本体▲４▼の指に接する面は柔軟な材質で指の曲率に合わせた曲面にすると装着感が良く、安定する。
【００１１】
【考案の効果】
以上説明したように、本考案の請求項１に記載のストップウォッチにおいては、ランニング中に自然に目の方向を向くため、手の動きを最小限にして計時の確認をすることが可能になる。
【００１２】
また、本考案の請求項２記載の形状にする事により、駅伝のたすき渡し等、計時操作するときに反対の手がフリーになり便利である。また、ストップウォッチにラップタイム記録機能等が付加された場合も、両腕の振りを中断することなくスイッチ操作が行える利点がある。
【００１３】
また、本考案の請求項３に記載のモード表示機構により、ストップウォッチの動作状態の確認が容易になり、ランニング中のような表示に集中できない場合でも一瞥しただけで確認が可能になる。
【図面の簡単な説明】
【図１】本考案の請求項１の親指に装着した場合の実施例である。
【図２】本考案の請求項１の人指し指に装着した場合の実施例である。
【図３】親指に装着するタイプの本体の詳細である。
【図４】人指し指に装着するタイプの本体の詳細である。
符号の説明
１　ストップウォッチ装着側の人差し指（または中指）
２　ストップウォッチ装着側の親指
３　装着状態のストップウォッチ本体
４　ストップウォッチ本体
５　表示部
６　スイッチ用タブ
７　スイッチ
８　表示ランプ
９　固定用ベルト
【図１】
0003098853.tif 000002
【図２】
0003098853.tif 000003
【図３】
0003098853.tif 000004
【図４】
0003098853.tif 000005
【手続補正書】
【提出日】平成15年4月17日(2003.4.17)
【手続補正１】
【補正対象書類名】明細書
【補正対象項目名】実用新案登録請求の範囲
【補正方法】変更
【補正の内容】
【実用新案登録請求の範囲】
【請求項１】
指の大きさから大きくはみ出さない程度の幅で、指関節１個分程度の長さを持つ長方形に近い形状とし、細い指にフィットするよう本体裏面に指の形状に合う曲率をもつ柔軟な素材で裏打ちされた本体に、伸縮性の素材で幅が広めで指にフィットする細いリング状のベルトを持つ指巻着ストップウォッチ。
【請求項２】
経時を示す表示部のカバー部、あるいは本体に付属したタブに取り付けた大型のボタンを、モード変換やオン又はオフの操作スイッチとする請求項１記載のストップウォッチ。
【請求項３】
スイッチによる経時のオン又はオフあるいはモード変換を、表示板のバックライトのオン又はオフあるいは本体上部に設けた発光ダイオード等の光により、表示する請求項１記載のストップウォッチ。